(57)【要約】【課題】  品質に関する情報などを記録するＲＦＩＤ用タグを装着することにより、組み込まれている機器から取外すことなく外部から品質管理などに関する情報の入手が可能なＲＦＩＤ用タグを内蔵したすべり軸受ユニットを提供する。【解決手段】  円筒状の側部および底部を含むハウジング７の内周面に軸受部材８を固定し、軸受部材８の内周面に軸部材２を挿通し、軸部材２と軸受部材８との相対的な回転時に生じる動圧作用で軸部材２を回転自在に非接触で支持し、ハウジング７にＲＦＩＤ用タグ２０を装着する。ＲＦＩＤ用タグ２０には動圧軸受装置１を構成するユニットの各部品および完成品のロット番号，軸受隙間，出荷検査情報などの履歴に関する情報のいずれかを記録する。【選択図】      図２
2006052782.tif 000002
【特許請求の範囲】
【請求項１】
略円筒状の側部および底部を含むハウジングと、前記ハウジングの内周面に固定された軸受部材と、前記軸受部材の内周面に挿通された軸部材とで構成され、前記軸部材と前記軸受部材との相対的な回転によってラジアル方向に支持されるすべり軸受ユニットにおいて、
少なくとも前記すべり軸受ユニットを構成する各部品および完成品のロット番号，軸受すきま，出荷検査情報などの履歴に関する情報のいずれかを記録するＲＦＩＤ用タグを、少なくとも前記すべり軸受ユニットを構成する各部品のいずれかに装着したことを特徴とする、ＲＦＩＤ用タグを内蔵したすべり軸受ユニット。
【請求項２】
前記ハウジングの表面には凹部が形成され、その凹部に前記ＲＦＩＤ用タグが装着された後、樹脂で封止されることを特徴とする、請求項１に記載のＲＦＩＤ用タグを内蔵したすべり軸受ユニット。
【請求項３】
前記ハウジングが樹脂もしくは金属の射出成形によって形成されることを特徴とする、請求項１または２に記載のＲＦＩＤ用タグを内蔵したすべり軸受ユニット。
【請求項４】
前記ハウジングはゲート部を含み、前記ゲート部に追加工して凹部を設け、前記ＲＦＩＤ用タグが設けられることを特徴とする、請求項３に記載のＲＦＩＤ用タグを内蔵したすべり軸受ユニット。
【発明の詳細な説明】
【技術分野】
【０００１】
この発明は、ＲＦＩＤ用タグを内蔵したすべり軸受ユニットに関し、特に、非接触でデータの読み書きを行うＲＦＩＤ（Ｒａｄｉｏ  Ｆｒｅｑｕｅｎｃｙ  Ｉｄｅｎｔｉｆｉｃａｔｉｏｎ）用タグを内蔵したすべり軸受ユニットに関する。
【背景技術】
【０００２】
すべり軸受には、軸受部に溝を有する動圧軸受と、溝を有しない軸受とがある。このようなすべり軸受は、情報機器、例えばＨＤＤ、ＦＤＤ等の磁気ディスク駆動装置、ＣＤ−ＲＯＭ、ＣＤ−Ｒ／ＲＷ、ＤＶＤ−ＲＯＭ／ＲＡＭ等の光ディスク駆動装置、ＭＤ、ＭＯ等の光磁気ディスク駆動装置などのスピンドルモータ、レーザビームプリンタ（ＬＢＰ）のポリゴンスキャナモータ、あるいは電気機器、例えば軸流ファンなどの小型モータ用として使用されている。
【０００３】
このようなすべり軸受の１つの例としての動圧軸受は、例えば、特開２００２−６１６４１号公報に記載されているように、軸と軸受との隙間に流体(オイル)を満たし、回転の際に流体に生じる圧力(動圧)を利用して軸の回転を支えるものである。この機構はボールベアリング式の軸受に比べて高い耐衝撃性をもつだけでなく、軸の振れを最小限に抑えられるため、回転精度が高く、上述の情報機器に使用することで容量アップや高速化が可能になる。また、軸が軸受と接触せずに回転するため静音性も高く、さらに軸受部分のさらなる小型化も可能になるなどのメリットがある。
【特許文献１】特開２００２−６１６４１号公報
【発明の開示】
【発明が解決しようとする課題】
【０００４】
特許文献１に記載された動圧軸受は、上述のごとくスピンドルモータなどに組み込まれるが、不具合が生じた際にその動圧軸受の履歴の確認や、同じロットで製造された動圧軸受を追跡調査しなければならない場合がある。動圧軸受はスピンドルモータに組み込まれているため、動圧軸受の取外しに不必要に時間を消費してしまい、早急に対策を講じることができず、ユーザに迷惑をかけてしまうという問題がある。
【０００５】
一方近年では、品質管理に関してトレーサビリティの要求が高くなってきており、動圧軸受などの機械要素商品の品質管理では、材料情報，製作情報，検査情報，出荷情報，点検情報などが直ちに分るようにすることが望まれている。
【０００６】
そこで、この発明の目的は、品質に関する情報などを記録するＲＦＩＤ用タグを装着することにより、組み込まれている機器から取外すことなく外部から品質管理などに関する情報の入手が可能なＲＦＩＤ用タグを内蔵したすべり軸受ユニットを提供することである。
【課題を解決するための手段】
【０００７】
この発明は、略円筒状の側部および底部を含むハウジングと、ハウジングの内周面に固定された軸受部材と、軸受部材の内周面に挿通された軸部材とで構成され、軸部材と軸受部材との相対的な回転によってラジアル方向に支持されるすべり軸受ユニットにおいて、少なくともすべり軸受ユニットを構成する各部品および完成品のロット番号，軸受すきま，出荷検査情報などの履歴に関する情報のいずれかを記録するＲＦＩＤ用タグを、少なくともすべり軸受ユニットを構成する各部品のいずれかに装着したことを特徴とする。
【０００８】
これにより、すべり軸受ユニットが組み込まれた例えばモータなどからすべり軸受ユニットを取外すことなく、例えばリーダ／ライタなどにより、すべり軸受ユニットに関する情報を読み出すことが可能になる。また、すべり軸受ユニットをモータに組み込んでからの情報をＲＦＩＤ用タグに書込めば、組み込まれるモータやモータが組み込まれる装置からのトレーサビィリティが容易になる。
【０００９】
好ましくは、ハウジングの表面には凹部が形成され、その凹部にＲＦＩＤ用タグが装着された後、樹脂で封止される。ハウジングの表面にＲＦＩＤ用タグを装着することで、すべり軸受ユニットをモータなどに組み込んでも、非接触でＲＦＩＤ用タグから情報の読出しが可能になる。
【００１０】
好ましくは、ハウジングが樹脂もしくは金属の射出成形によって形成される。射出成形は、ＭＩＭなど金属で行うことも可能になる。
【００１１】
好ましくは、ハウジングはゲート部を含み、ゲート部に追加工して凹部を設け、ＲＦＩＤ用タグが設けられる。
【発明の効果】
【００１２】
この発明によれば、ハウジングにＲＦＩＤ用タグを装着することにより、すべり軸受ユニットが組み込まれた例えばモータなどからすべり軸受ユニットを取外すことなく、例えばリーダ／ライタなどにより、すべり軸受ユニットに関する情報を読み出すことが可能になる。これにより、すべり軸受ユニットに関する情報の入手を早くできる。また、すべり軸受ユニットの取外しに手間がかることがなく、不必要に時間を消費することがないので、早急に対策を講じることができ、ユーザに迷惑をかけてしまうおそれを解消できる。
【発明を実施するための最良の形態】
【００１３】
図１はこの発明の一実施形態におけるＲＦＩＤ用タグを内蔵したすべり軸受ユニットの一例の動圧軸受装置を有するスピンドルモータの構造を示す概略断面図である。この図１に示すスピンドルモータはＨＤＤなどのディスク駆動装置などに用いられる。動圧軸受装置１は軸部材２を回転自在に非接触で支持し、軸部材２にはディスクハブ３が装着されている。
【００１４】
ディスクハブ３は、ステータ４とロータ５とを含むスピンドルモータによって回転駆動されるものであって、ディスクハブ３の内周面には、ロータ５が配置されている。動圧軸受装置１はケーシング６の内周面に取付けられており、ケーシング６の外周面にはロータ５に対して半径方向に所定のギャップを有するようにステータ４が配置されている。
【００１５】
ディスクハブ３には、磁気ディスクなどのディスクＤが１枚または複数枚保持される。ステータ４に通電すると、ステータ４とロータ５との間の励磁力で、ロータ５が回転し、それによってディスクハブ３および軸部材２が一体となって回転する。
【００１６】
図２は図１に示した動圧軸受装置の断面図であり、図３は図２に示した動圧軸受装置に含まれる動圧軸受部の動圧溝パターンの一例である。
【００１７】
図２において、動圧軸受装置１は軸部材２と、ハウジング７と、ハウジング７の内周面に固定された円筒状の軸受部材８とから構成されている。ハウジング７は略円筒形状の側部と底部とを含む樹脂で形成されている。軸部材２は軸部２ａと、軸部２ａと一体または別体として設けられたフランジ部２ｂとを含む。
【００１８】
軸受部材８は、例えば多孔質材、特に、焼結金属で形成されており、その内部の気孔に潤滑油あるいは潤滑グリースが含浸されて含油軸受とされている。軸受部材８の内周面のラジアル軸受面となる領域には図示しないが動圧溝が形成されている。軸部材２が回転すると、ラジアル軸受隙間に動圧作用が発生し、軸部材２の軸部２ａがラジアル軸受隙間内に形成される潤滑油あるいは潤滑グリースの油膜によってラジアル方向に回転自在に非接触で支持される。なお、動圧溝は軸部材２の軸部２ａの外周面に形成してもよい。
【００１９】
軸受部材８の下と、ハウジング７の内面のスラスト軸受面となる領域には、図３に示すような動圧溝２ｃが形成されている。軸部材２が回転すると、フランジ部２ｂの上面と軸受部材８の下端面との間、およびフランジ部２ｂの下端面とハウジング７の内面との間のスラスト軸受隙間には動圧作用が発生し、スラスト方向に回転自在に非接触支持される。なお、スラスト軸受面は、ハウジング上端面に設けてもよい。
【００２０】
軸受部材８上部の開口部分が金属あるいは樹脂からなるシールワッシャ９によって密封された後、潤滑油あるいは潤滑グリースが注入され、軸部材８内部に残存空気がないようにエアーチェックや油量確認が行われる。
【００２１】
また、ラジアル軸受面およびスラスト軸受面に形成される動圧溝の形状は任意に選択することができ、へリングボーン型，スパイラル型，ステップ型，多円弧型などのいずれかを選択し、あるいはこれらを適宜組み合わせて使用すればよい。
【００２２】
ハウジング７の裏面には凹部１０が形成され、この凹部１０にＲＦＩＤ用タグ２０が装着され、接着剤１１で封止される。接着剤１１としては、紫外線硬化型のものを使用することで簡易的に処理できる。ＲＦＩＤ用タグ２０には、動圧軸受装置１を構成するユニットの各部品および完成品のロット番号，軸受隙間，出荷検査情報などの履歴に関する情報が記録される。
【００２３】
なお、ハウジング７は樹脂もしくは金属の射出成形によって形成できる。また、射出成形はＭＩＭ（粉末射出成形）等により金属で行うことも可能である。
【００２４】
図４は動圧軸受装置の他の例のピボット型動圧軸受装置を示す断面図であり、図５は図４に示した動圧軸受装置に含まれる動圧軸受部の動圧溝パターンの一例である。
【００２５】
前述の図２に示した動圧軸受装置１は、フランジ部２ｂを設けていたのに対して、図４に示した動圧軸受装置１ａは、フランジ部を設けておらず、ハウジング１７内に軸部材１２の軸部１２ａを支持する軸受部材１８と、シールワッシャ１９とが設けられている。軸受部材１８の内周面には、図５に示すように動圧溝１８ａが形成されている。また、軸部材１２の下端面と、これに対向するハウジング１７の底部には、図示しないが動圧溝が形成されている。ハウジング１７の裏面に凹部１０が形成され、この凹部１０にＲＦＩＤ用タグ２０が装着され、接着剤１１で封止されている。
【００２６】
軸部材１２が回転すると、ハウジング１７の底部と軸受部材８の下端面との間、および軸部材１２と軸受部材１８の内周面との間の隙間には動圧作用が発生し、ラジアル方向およびスラスト方向に回転自在に非接触支持される。また、この例においても、ＲＦＩＤ用タグ２０には、動圧軸受装置１ａを構成するユニットの各部品および完成品のロット番号，軸受隙間，出荷検査情報などの履歴に関する情報が記録される。
【００２７】
図６はＲＦＩＤ用タグの構成を示す回路図である。ＲＦＩＤ用タグ２０は、図６に示すように平面アンテナ２１と、基板上２２に配置された送受信回路２３，ＣＰＵ２４，電源回路２５およびメモリ２６とを有している。メモリ２６は電源が遮断されても記憶している情報を保持し続ける不揮発性メモリで構成されており、情報の再書き込みが可能である。
【００２８】
リーダ／ライタ２８をＲＦＩＤ用タグ２０の平面アンテナ２１に接近させることで高周波信号がリーダ／ライタ２８から供給され、それをＲＦＩＤタグ２０の電源回路２５がその高周波信号を電力に変換して送受信回路２３と、ＣＰＵ２４と、メモリ２６とに与えてこれらを能動化させ、メモリ２６に必要な情報を書込んだり、書込んだ情報を読み出すことができる。
【００２９】
この実施形態では、メモリ２６には前述の動圧軸受装置１を構成するユニットの各部品および完成品のロット番号，軸受隙間，出荷検査情報などの履歴に関する情報などが書込まれている。また、動圧軸受装置１を点検した年月日情報などを書込むようにしてもよい。
【００３０】
上述のごとく、この実施形態によれば、ハウジング７，１７にＲＦＩＤ用タグ２０を装着することにより、動圧軸受装置１，１ａが組み込まれた例えばモータなどから動圧軸受装置１，１ａを取外すことなく、例えばリーダ／ライタ２８などにより、動圧軸受装置１，１ａに関する情報を読み出すことが可能になる。これにより、動圧軸受装置１，１ａに関する情報の入手を早くできる。また、動圧軸受装置１，１ａの取外しに手間がかることがなく、不必要に時間を消費することがないので、早急に対策を講じることができ、ユーザに迷惑をかけてしまうおそれを解消できる。
【００３１】
なお、上述の説明では、ＲＦＩＤ用タグ２０をハウジング７，１７の裏面に装着するようにしたが、これに限ることなく、シールワッシャ９，１９の表面にＲＦＩＤ用タグ２０を装着するようにしてもよい。
【００３２】
また、ＲＦＩＤ用タグ２０として耐熱性のものを使用すれば、ハウジング７，１７を射出成形後にＲＦＩＤ用タグ２０をハウジングに埋め込むことにより、軸受部材８，１８内に潤滑油あるいは潤滑グリースを注入する際に油などがＲＦＩＤ用タグ２０に付着することがない。
【００３３】
さらに、上述の実施形態では、ハウジング７，１７として側部と底部とを有し、軸受部材８，１８の上部をシールワッシャ９，１９で密封するようにしたが、下部を開口したゲートを有するハウジングを用い、軸受部材８，１８として軸部材２，１２の周囲を囲む鍔状部を形成しておき、ハウジング下部のゲートから軸部材と軸受部材とを挿入し、ハウジングのゲートを樹脂ワッシャで密封するようにしてもよい。その場合には、樹脂ワッシャの裏面に凹部を形成し、そこにＲＦＩＤ用タグ２０を装着し、樹脂で封止してもよい。
【００３４】
また、この発明は、ハウジング７，１７と軸受部材８，１８とを一体化した構造の動圧軸受装置にも適用できる。
【００３５】
さらに、この発明は、動圧溝を有しないすべり軸受にも適用できる。
【００３６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３７】
この発明のＲＦＩＤ用タグを内蔵したすべり軸受ユニットは、情報機器に使用されるスピンドルモータなどの軸受として利用できる。
【図面の簡単な説明】
【００３８】
【図１】この発明の一実施形態におけるＲＦＩＤ用タグを内蔵したすべり軸受ユニットの一例の動圧軸受装置を有するスピンドルモータの構造を示す概略断面図である。
【図２】図１に示した動圧軸受装置の断面図である。
【図３】図２に示した動圧軸受装置に含まれる動圧軸受部の動圧溝パターンの一例である。
【図４】動圧軸受装置の他の例のピボット型動圧軸受装置を示す断面図である。
【図５】図４に示した動圧軸受装置に含まれる動圧軸受部の動圧溝パターンの一例である。
【図６】ＲＦＩＤ用タグの構成を示す回路図である。
【符号の説明】
【００３９】
１  動圧軸受装置、２，１２  軸部材、２ａ，１２ａ  軸部、２ｂ  フランジ部、２ｃ，１８ａ  動圧溝、７，１７  ハウジング、８，１８  軸受部材、９，１９  シールワッシャ、１０  凹部、１１  接着剤、２０  ＲＦＩＤ用タグ、２１  平面アンテナ、２２  基板、２３  送受信回路、２４  ＣＰＵ、２５  電源回路、２６  メモリ、２８  リーダ／ライタ。
【図１】
2006052782.tif 000003
【図２】
2006052782.tif 000004
【図３】
2006052782.tif 000005
【図４】
2006052782.tif 000006
【図５】
2006052782.tif 000007
【図６】
2006052782.tif 000008